【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
フリーホイール（１）を備えたディスクブレーキ（１２０）用調整装置（１００）であって、
ａ．前記フリーホイール（１）が内側リング（２）と外側リング（３）を備え、
ｉ．前記内側リング（２）と前記外側リング（３）が多数のころがり軸受ボール（４）
と共にスラストボールベアリングを形成し、このスラストボールベアリングによって
前記内側リング（２）が前記外側リング（３）と相対的に回転可能に軸受され、
ｂ．前記フリーホイール（１）がさらに、前記内側リング（２）と前記外側リング（３）  をそれぞれ通過する貫通穴（５ａ、５ｂ）を有し、
ｃ．前記フリーホイール（１）がさらに、保持器（６ａ、６ｂ、６ｃ、６ｄ）を備え、こ  の保持器内に、圧縮ばね（１２）と押圧部材（１３）を備えた多数の締付けローラ（７）が保持され、
ｉ．前記保持器（６ａ、６ｂ、６ｃ、６ｄ）が前記貫通穴（５ａ、５ｂ）に対して半径
方向において前記内側リング（２）と前記外側リング（３）との間に配置され、かつ
ｉｉ．前記内側リング（２）と前記外側リング（３）によって完全に取り囲まれている、
上記調整装置（１００）において、
前記内側リング（２）と相対的に前記保持器（６ａ、６ｂ、６ｃ、６ｄ）を回転させることによっておよびそれに続いて適当な手段（１１、１７ａ、１７ｂ、２７ａ、２７ｂ、３６、３７）によって前記保持器（６ａ、６ｂ、６ｃ、６ｄ）を前記内側リング（２）上でかみ合い連結的に固定保持することによって、前記圧縮ばね（１２）が前記保持器（６ａ、６ｂ、６ｃ、６ｄ）内で予圧縮されていることを特徴とする調整装置（１００）。
【請求項２】
前記内側リング（２）を付勢するための前記適当な手段が、ピン（３７、１７ａ、１７ｂ）と穴（１１）であることを特徴とする請求項１に記載の調整装置（１００）。
【請求項３】
前記内側リング（２）を付勢するための前記適当な手段が、スナップフックの端部、ピン（２７ａ、２７ｂ）および対向輪郭（３６）であることを特徴とする請求項１に記載の調整装置（１００）。
【請求項４】
前記フリーホイール（１）の前記内側リング（２）が段差部（８）を有し、該段差部の外周に、多数の締付けくさび（９）が規則的な角度ピッチで配置されていることを特徴とする請求項１〜３のいずれか一項に記載の調整装置（１００）。
【請求項５】
前記締付けローラ（７）が前記フリーホイール（１）の組立て状態で前記締付けくさび（９）内に配置されていることを特徴とする請求項１〜４のいずれか一項に記載の調整装置（１００）。
【請求項６】
前記締付けくさび（９）が２．６°と４．２°との間の締付け角度を有することを特徴とする請求項１〜５のいずれか一項に記載の調整装置（１００）。
【請求項７】
前記内側リング（２）と前記外側リング（３）がそれぞれ、十分な許容誤差を有する正味寸法での変形または一次成形を可能にする変形法または一次成形法によって製作されていることを特徴とする請求項１〜６のいずれか一項に記載の調整装置（１００）。
【請求項８】
前記内側リング（２）と前記外側リング（３）がそれぞれ、冷間成形法によって製作されていることを特徴とする請求項１〜７のいずれか一項に記載の調整装置（１００）。
【請求項９】
前記内側リング（２）と前記外側リング（３）がそれぞれ鋼から製作されていることを特徴とする請求項１〜８のいずれか一項に記載の調整装置（１００）。
【請求項１０】
前記内側リング（２）と前記外側リング（３）がそれぞれ粉末冶金焼結法によって製作されていることを特徴とする請求項１〜５のいずれか一項に記載の調整装置（１００）。
【請求項１１】
前記内側リング（２）と前記外側リング（３）がそれぞれ粉末金属から作られていることを特徴とする請求項８に記載の調整装置（１００）。
【請求項１２】
前記保持器（６ａ、６ｄ）が一体に形成されていることを特徴とする請求項１〜１１のいずれか一項に記載の調整装置（１００）。
【請求項１３】
前記保持器（６ｂ、６ｃ）が多数の保持器リンク（１４ａ、１４ｂ）からなるチェーンとして製作されていることを特徴とする請求項１〜９のいずれか一項に記載の調整装置（１００）。
【請求項１４】
前記チェーンリンク（１４ａ、１４ｂ）がそれぞれ２つの側板（１５ａ、１５ｂ）を備えていることを特徴とする請求項１１に記載の調整装置（１００）。
【請求項１５】
前記側板（１５ａ、１５ｂ）がそれぞれアイ（１６ａまたは１６ｂ）を有することを特徴とする請求項１１または１２に記載の調整装置（１００）。
【請求項１６】
それぞれ１つのアイ（１６ｂ）がそれぞれ１つのフィルムヒンジ（１９）を介して前記保持器リンク（１４ｂ）に装着されていることを特徴とする請求項１３に記載の調整装置（１００）。
【請求項１７】
前記保持器リンク（１４ａ、１４ｂ）がそれぞれ少なくとも１本のピン（１７ａ、１７ｂ）を備えていることを特徴とする請求項１１〜１４のいずれか一項に記載の調整装置（１００）。
【請求項１８】
それぞれ前記アイ（１６ａまたは１６ｂ）がそれぞれ１本のピン（１７ａ、１７ｂ）に掛けられることにより、前記保持器リンク（１４ａ、１４ｂ）が互いに連結されて前記保持器（６ｂ、６ｃ）を形成していることを特徴とする請求項１１〜１５のいずれか一項に記載の調整装置（１００）。
【請求項１９】
前記保持器（６ｂ、６ｃ）の前記保持器リンク（１４ａ、１４ｂ）が射出成形法で製作されていることを特徴とする請求項１１〜１６のいずれか一項に記載の調整装置（１００）。
【請求項２０】
前記保持器（６ｄ）が多数の側板部分（２２）を備え、該側板部分（２２）が前記保持器（６ｄ）の外周に規則的な角度ピッチで分配されていることを特徴とする請求項１０に記載の調整装置（１００）。
【請求項２１】
前記各側板部分（２２）が長穴（２３ａ）を有し、前記保持器（６ｄ）の組立て状態で前記押圧部材（１３）の案内突出部（１８）が前記長穴（２３ａ）に通されていることを特徴とする請求項１８に記載の調整装置（１００）。
【請求項２２】
前記各側板部分（２２）がそれぞれロック部分（２４）によって画成され、それによって前記ロック部分（２４）が前記保持器（６ｄ）の外周に規則的な角度ピッチで分配されていることを特徴とする請求項１８または１９に記載の調整装置（１００）。
【請求項２３】
前記ロック部分（２４）が連結ウェブ（２５）を備え、該連結ウェブを介して前記ロック部分（２４）がそれぞれ前記側板部分（２２）に一体に連結されていることを特徴とする請求項１８〜２０のいずれか一項に記載の調整装置（１００）。
【請求項２４】
前記ロック部分（２４）がスナップフック部分（２６）を備え、該スナップフック部分が互いに対向する対称の２つのスナップフック（２７ａ、２７ｂ）を形成し、前記スナップフック部分（２６）の前記スナップフック（２７ａ、２７ｂ）が前記保持器（６ｄ）の非組立て状態で円形の前記保持器（６ｄ）の中心の方に向いていることを特徴とする請求項１８〜２１のいずれか一項に記載の調整装置（１００）。
【請求項２５】
前記連結ウェブ（２５）と前記スナップフック部分（２６）がそれぞれフィルムヒンジ（２８）によって連結されていることを特徴とする請求項１８〜２２のいずれか一項に記載の調整装置（１００）。
【請求項２６】
前記連結ウェブ（２５）にそれぞれ１つの対向部分（２９）が接続し、該対向部分が同様にフィルムヒンジ（３０）によって前記連結部分（２５）に連結され、前記対向部分（２９）が前記保持器（６ｄ）の非組立て状態で円形の前記保持器（６ｄ）の中心から離れる方向に向いていることを特徴とする請求項１８〜２３のいずれか一項に記載の調整装置（１００）。
【請求項２７】
前記対向部分（２９）にそれぞれ２つの一部側板部分（３１ａ、３１ｂ）が接続し、該一部側板部分がフィルムヒンジ（３２）を介して前記対向部分（２９）に連結されていることを特徴とする請求項１８〜２４のいずれか一項に記載の調整装置（１００）。
【請求項２８】
前記両一部側板部分（３１ａ、３１ｂ）が溝（３３）を有し、前記保持器（６ｄ）の組立て状態で前記溝に前記両スナップフック（２７ａ、２７ｂ）が係止されていることを特徴とする請求項１８〜２５のいずれか一項に記載の調整装置（１００）。
【請求項２９】
前記両一部側板部分（３１ａ、３１ｂ）がそれぞれ切込み（３４ａ、３４ｂ）を有し、前記保持器（６ｄ）の組立て状態でこの切込みが長穴（２３ｂ）を形成していることを特徴とする請求項１８〜２６のいずれか一項に記載の調整装置（１００）。
【請求項３０】
前記スナップフック部分（２６）と前記対向部分（２９）がそれぞれ段差部（３５）を有し、前記保持器（６ｄ）の組立て状態で前記圧縮ばね（１２）が前記段差部に支持されていることを特徴とする請求項１８〜２７のいずれか一項に記載の調整装置（１００）。
【請求項３１】
前記保持器（６ｄ）が射出成形法で製作され、平らな部品として射出成形金型から取り出されることを特徴とする請求項１８〜２８のいずれか一項に記載の調整装置（１００）。
【請求項３２】
請求項１〜３１のいずれか一項に記載の調整装置（１００）を備えているディスクブレーキ（１２０）。